【手続補正書】
【提出日】平成17年1月21日(2005.1.21)
【手続補正１】
【補正対象書類名】明細書
【補正対象項目名】全文
【補正方法】変更
【補正の内容】
【書類名】                    明細書【発明の名称】              パン切り器具【特許請求の範囲】【請求項１】  低板上に、左右に並行して仕切り板を設け、左右の仕切り板の中間に、低板に垂直に低板を挟んで対向してスリットを設け、前記左右の仕切り板と低板と対向するスリット横壁とで箱状部を形成し、左右の仕切り板をパンの厚さに対応して前記箱状部の内方向外方向へ位置の移動を行うことを特徴とするパンきり器具。【請求項２】左右の仕切り板を、低板を挟んで対向するスリットの左右の横壁に設けた複数の溝に差し替えて位置の移動を行う構成の、請求項１のパンきり器具。【請求項３】低板を挟んで対向するスリットの右側横壁に、右側仕切り板を差し替えて位置の移動を行う複数の溝を設け、対するスリットの左側仕切り板が低板に対する垂直と低板を挟んで対向するスリットに対して平行を保持し、左側仕切り板の位置の移動を円滑に行う手段とを有し、左側仕切り板の外側面に取っ手を設けてパンに軽く押し当て器具本体を押る該左側仕切板とで構成される請求項１又は２のパン切り器具【請求項４】低板を挟んで対向してスリットを設け、スリットを中心に、対向するスリットの右側の横壁に右側仕切り板となる外壁を個設し、対向するスリットの左側に、取っ手の付いた前記左側仕切り板を設け、５枚、４枚にカットされたいずれかの厚さに限定されたパンを半分に切る請求項１又は２、３のパン切り器具。【請求項５】対向するスリットの右側部に、右側仕切り板を前後に移動させる右側仕切り板の位置調整手段と、右側仕切り板を低板に垂直に保ち、右側仕切り板が低板を挟んで対向するスリットに平行に保持される手段とを有し、対するスリットの左側方に取っ手の付いた前記左側仕切り板を設けて取っ手を持ってパンに軽く押し当て器具本体を押さえる該左側仕切り板とで構成される請求項１又は２、３、４のパン切り器具。【請求項６】対向するスリットの横壁に設けた溝がＶ字溝である請求項２又は３のパン切り器具。【請求項７】スリットを構成する左側部分の上端を、右側部分の上端より突出して高く設けて成る請求項１乃至６のパン切り器具。【発明の詳細な説明】【０００１】【産業上の利用分野】  この発明はある枚数にカットされた市販のパンを、パンの厚みに応じて２枚又は３枚に切ることできるパンきり器具に関する。【０００２】【従来の技術】  現在、食パンのほとんどが何枚かにカットされていて、８枚切り、６枚切り、５枚切り、４枚切り等にパックされて販売されているが、好みの食材でサンドイッチを作りたい時、手元に５枚切り、又は４枚切りのパンがあっても半分に切る手段がない。【０００３】【発明が解決しようとする課題】  手元に５枚切り、４枚切り、又は６枚切りのいずれかの食パンがあれば、好みの食材で食べたいときに、容易にサンドイッチをを作って食べられるようにするものであり、パンを半分に切って焼いた後でも焼く前でも、固体状のバターを薄く切ってパンに挟むとすぐに溶けて、バターが口や手に付かずにバタートーストが食せるようにするものであり、ペースト状の食材もパンを半分に切って焼いた後でも焼く前でもサンドイッチ状にして口や手を汚さずに食せるようにするものである。【０００４】【発明を解決するための手段】  低板上に位置を移動できる仕切り板を並行して左右に設け、左右の仕切り板の中間に、低板に垂直に低板を挟んで対向してスリットを設け、前記左右の仕切り板が、該左右の仕切り板と前記スリットの横壁とで形成される箱状部の内方向と外方向へ自在に位置の移動ができ、仕切り板の位置の移動を、対向するスリットの両側の横壁面に複数の溝を設け、食パンの厚みに応じて前記左右の仕切り板を前記溝に差し込み替えて位置の移動を行うパンきり器具と、又はパンの厚みに対応する右側仕切り板の位置調整手段と、対向するスリットに平行を保持する手段とを有する右側仕切り板と、左側仕切り板が低板に対する垂直と低板を挟んで対向するスリットに平行を保持し、円滑な移動手段とを有し、外側面中央部近辺に取っ手を設け、取っ手を持ち前記左側仕切り板をパンの厚みに合わせ軽く押し当て器具本体を押さえながらパンを切るパン切り器具を設ける。或は右側の仕切り板を、パンの厚みに応じて複数の溝に差し替えて位置の移動を行う右側の仕切り板と、上記取っ手の付いた左側仕切り板を設けてパンに軽く押し当て器具本体を押さえてパンを切るパン切り器具を設ける。或は、低板を挟んで対向するスリットを中心にして、対向するスリットの右側横壁に右側仕切り板となる外壁を固設し、対する左側仕切り板に前記取っ手の付いた左側仕切り板を設け、５枚又は４枚にカッとされたどちらかに限定されたパンを半分に切るパン切り器具を設ける。上記のそれぞれのパン切り器具のスリットは、スリットを構成する左側の上端を右側の上端より突出して高く設ける。【０００５】【作用】  上記のスリットの横壁に設ける溝は、箱状部を形成する仕切り板の内側面がスリットを構成する左側面からの位置を、５枚切り４枚切りのパンの半分の厚みの１２ｍｍ．１５ｍｍの位置に取ると、溝をＶ字溝とすることで仕切り板の厚さを２ｍｍ又は３ｍｍとすることができ、６枚切り５枚切り４枚切り用のＶ字溝３列を設けると６枚切りの半分の厚みが１０ｍｍであるから、仕切り板の厚みは２ｍｍを設けられる。パンの厚みに応じ左右の仕切り板をＶ字溝に差し替え、パン切り包丁をスリットの左側面に当てながらパンを切るとそれぞれのパンを半分に切ることができる。スリットを構成する左側部分の上端を、右側部分の上端より突出して高く設けるのは、パン切り包丁の側面を、突出した面に横から当て、軽く当てた状態でそのまま容易にスリットに通せるためである。右側仕切り板の位置調整手段では、１例として位置調整片に仕切り板の位置が、位置調整片を上下させることで前記の１０ｍｍ．１２ｍｍ．１５ｍｍに対応するように３段階の段差を設け、右側仕切り板の上下を同じ位置に保ち垂直を保つため、位置調整片に前記と同様の段差を上下に設け、右側仕切り板の外側面中央部と、対向する右側スリット外側に固設した上下の部材との間に、スプリングと共に位置調整片を填め込み、位置調整片の摘みを上下させパンの厚みに応じて各段差位置に右側仕切板と共に固定される。前記右側仕切り板に対する左側の仕切り板は、１例として仕切り板外側面に長手で厚めの取っ手を垂直に設け、低板に対して垂直と対向するスリットに平行を保持して、取っ手を持って前記の形成される箱状の内方外方へ自在に円��に移動でき、該左側仕切り板を切ろうとするパンに軽く押し当て器具本体を押さえながらパンを切るもので、着脱自在であり、形成される箱状内部のパンきり屑を容易に取り除ける。又、対向するスリットの右側のみに複数の溝を設けて、パンの厚みに対応して右側の仕切り板を差し替え位置の移動を行い、左側仕切り板に前記の取っ手の付いた左側仕切り板を設け、左右の仕切板と低板を挟んで対向するスリット横壁とで形成される箱状部の内方外方へ円滑に移動でき、前記同様左側切り板は着脱自在でありパン屑を容易に取り除ける。対向するスリットの右側横壁に仕切り板となる外壁を固設したパン切り器具は、対する左側仕切り板に前記取っ手の付いた左側仕切り板を用い、仕切り板を摺動しパンに軽く押し当て器具本体を押さえ、ある厚さに限定されたパンを半分に切るパンきり器具である。現在市販されている厚切りパンより、将来さらに厚切りのパンが市販された場合でも上記の仕切り板を差し替える溝や、位置調整片の段差を増やして設けるだけで容易に対応できる。【０００６】【実施例】  実施例の図面１〜３について説明すると、低板１に低板を挟んで対向してスリット２を設け、対向するスリットの両側に溝３を設け仕切り板４をパンの厚みに応じて溝３に差し替える。この図面では溝３を２列設け溝３をＶ字溝とし仕切り板を差し替えて市販の５枚切り４枚切りのパンを半分に切るようにしたものである。この場合、溝をＶ字溝にして仕切り板の厚みを２又は３ｍｍにするとスリット２の左側面５から左右の仕切り板４の内側面をパンの５枚切り４枚切りの半分の厚み１２ｍｍ．１５ｍｍの位置に取れる。左右の仕切り板４と対向するスリット２の横壁６とで箱状部１０を形成し、仕切り板の上端は外側へ反り返り１１を設けパンを入れ易くしている。スリットを構成する左側上端７を、右側上端８より突出して高く設けるのは、パンきり包丁の側面を横からスリットの左側面に当てそのままスリット２に容易に通し易くするためである。図１〜９に於て、スリット２．２ａ．２ｂ．２ｃの幅はパンきり包丁の厚さすれすれに構成するとパンの切り屑が上記箱状部１０．１０ａ．１０ｂ．１０ｃより外部にこぼれるのを防ぐ。仕切り板の底部は図１〜９に於て、低板面１．１ａ．１ｂ．１ｃより１〜２ｃｍ程上部にあってパン切り屑が、仕切り板４ａ．４ｂ．の円滑な摺動の妨げにならないようにするためであり、形成される箱状部１０．１０ａ．１０ｂ．１０ｃ内のパン屑を取り除く空間１２．１２ａ．１２ｂ．１２ｃでもある。図４．５では対向するスリット２ａの右側に３列のＶ字溝を設け、パンの厚みに応じて仕切り板４を差し替えて位置の調整を行うが、この場合前記仕切り板の内面の位置を、パンの６枚切り５枚切り４枚切りの半分の厚み、１０ｍｍ．１２ｍｍ．１５ｍｍの位置を取るには溝３ａをＶ字溝とし仕切り板の厚みを２ｍｍとする。溝３．３ａの上端は、連接する溝３ａの縁堤の中間３１を低く設け、仕切り板を差し替えるとき、仕切り板の先端を、左又は右側の縁堤３０に当てると容易に差し替えられる。前記仕切り板を差し替える右側仕切り板４に対する左側仕切り板４ａは、外側面中央に長手の厚い取っ手１３ａを垂直に設け、仕切り板の外側面下部の直角に張り出した部分１６ａの中央の凹状部１４ａと低板中央の凸状１５ａの仕切り板安定部を有し、張り出し部１６ａの両端縁の角状切り込み部１７をコ字状案内部２７に填め合わせると左側仕切り板４ａはがたつきなく安定して、低板に対する垂直と低板を挟んで対向するスリット２ａに平行を保ち、取っ手１３ａを持ち形成される箱状部１０ａの内方向外方向へ自在に摺動でき、パンを切るときは仕切り板の取っ手１３ａを持って、パンの厚みに合わせて軽く押し当てると共に、パンきり器具本体を押さえ固定する。仕切り板４ａは着脱自在で箱状部１０ａの内部のパン屑をハケ等で容易に取り除ける。図６．７の右側仕切り板４ｂでは、仕切り板下部の直角に張り出した部分１６の中央に凹状部１４を設け、凹状部１４と低板中央部の凸状１５と仕切り板４ｂの両端上下の凹凸部２８とを填め合わせる仕切り板安定部を設け、対向するスリット２ｂに平行を保ち、前記仕切り板４ｂは箱状部１０ｂの内方向外方向に摺動し移動する。右側仕切り板４ｂの外側面の中央に仕切り板の高さにほぼ等しい長手の厚い突設部２４を垂直に設け、右側の対向するスリット２ｂの外側６ｂに部材１８．１９を上下に固設し、その中央部近辺に引っ張りスプリングを取り付ける部材２０を設け、前記長手の厚い突設部２４と前記部材１８、１９との間に段差２１．２２の付いた位置調整片２３を填め込み、右側仕切り板外側面中央付近と前記部材２０との間に引っ張りスプリング２６を取り付け、右側仕切り板４ｂを所定の段差位置に固定する。位置調整片２３の上下の段差は、仕切り板４ｂの内面の位置が対向するスリット２ｂの左側面からパンの６枚切り５枚切り４枚切りの半分の厚みに対応して１０ｍｍ．１２ｍｍ．１５ｍｍの位置にくるように設けてあり、摘み２９を上下させ仕切り板４ｂを段差に応じて箱状部１０ｂの内方外方へ摺動し移動する。上下２ケ所の同様の段差部２１．２２は右側仕切り板４ｂの上下の位置を等しく保ち低板に対して垂直を保つためである。上記の段差のついた位置調整片２３は、仕切り板の僅かの位置の違いを点で合わすのではなく、余裕のある段差の段面２５に合わすので位置合わせが正確で容易に行える。左側仕切り板には、上記の図４．５の取っ手の付いた前記左側仕切り板４ａを設け、取っ手１３ａを持って、低板に対する垂直と低板を挟んで対向するスリット２ｂに平行を保ち乍ら摺動し自在に位置の移動ができ、着脱自在で箱状部１０ｂ内のパンの切り屑を容易に取り除ける。図８の中央に対向するスリット２ｃを設け対向するスリットの右側横壁に右側仕切り板となる外壁を固設し、対する左側仕切り板に取っ手の付いた前記左側仕切り板４ａを設け、取っ手を持って仕切り板を摺動し移動してパンに軽く押し当て４枚切り又は５枚切りのどちらかに限定された厚さのパンを半分に切るパンきり器具である。尚、上記の各パン切り器具は低板１．１ａ．１ｂ．１ｃの裏面の４角に、滑り止めを設けるとパンを切るとき器具本体をより安定させる。【０００７】【発明の効果】１．手持ちの４枚切り、５枚切りのいずれかのパンを半分に切り、食べたい時好みの食材でサンドイッチを作って食べられる。２．店頭に６枚切り８枚切りのパンがなくても、４枚切り５枚切りいずれかが有ればそれを半分に切ってサンドイッチが作れる。３．パンを半分に切った後トースターで焼く前でも後でも、バターをスライスしてパンに挟むとバターはすぐに溶け、手や口をバターで汚さずバタートーストが食べられる。４．ペースト状の食材もパンを半分に切って焼いた後でも前でも、サンドイッチ状に挟んでたべると口や手を汚さずに食べられる。５．新しいふわふわのパンもトーストしたパンもきれいに切ることができる。６．器具全体を小さく設けられるので、収納に場所を取らない。７、パンを切るときパン屑が周囲にこぼれない。【図面の簡単な説明】【図１】Ｖ字溝を設けたパンきり器具の右側面図【図２】Ａ−Ａ線断面図。【図３】図１の平面図。【図４】右側仕切り板を溝に差し替え、取っ手の付いた左側仕切り板４ａを設けて構成されるパン切り器具の左側面図。【図５】Ｂ−Ｂ線断面図。【図６】位置調整片の付いた右側仕切り板と、取っ手の付いた左側仕切り板４ａを設けて構成されるパン切り器具の右側面図。【図７】Ｃ−Ｃ線断面図。【図８】ある位置に固定された右側仕きり板と取っ手の付いた左側仕切り板４ａ設けて構成されるパン切り器具の正面図。【符号の説明】  １．１ａ．１ｂ．１ｃ            低板  ２．２ａ．２ｂ．２ｃ            スリット  ３．３ａ                        溝  ４．                            仕切り板  ４ａ．                          左側仕切り板  ４ｂ．４ｃ                      右側仕切り板  ５                              スリットの左側面  ６．６ａ                        スリットの横壁  ７                              スリットの左側上端  ８                              スリットの右側上端１０．１０ａ．１０ｂ．１０ｃ      箱状部１１．１１ａ．１１ｂ．１１ｃ      仕切り板上端の反り返り１２．１２ａ．１２ｂ．１２ｃ      空間１３．１３ａ．１３ｂ              取っ手１４．１４ａ                      張り出し部中央の凹部１５．１５ａ                      低板中央の凸部１６．１６ａ                      張り出し部１７                              角状切り込み１８                              上部部材１９                              下部部材２０                              スプリング取り付け部材２１．                            上部の段差２２                              下部の段差２３                              位置調整片２４                              突設部２５                              断面２６                              スプリング２７                              コ字状案内部２８                              両端の凹凸部２９                              摘み３０                              溝の縁堤３１                              溝の縁堤の中間３２外側壁面
【手続補正３】
【補正対象書類名】図面
【補正対象項目名】図５
【補正方法】変更
【補正の内容】
【図５】
2003311684.tif 000001
【手続補正４】
【補正対象書類名】図面
【補正対象項目名】図８
【補正方法】変更
【補正の内容】
【図８】
2003311684.tif 000002
【手続補正５】
【補正対象書類名】図面
【補正対象項目名】図９
【補正方法】削除
【補正の内容】